(57)【要約】      （修正有）【課題】屋外、屋上、ベランダ、室内での植物栽培を簡潔に行うための、可変なスライド式植物栽培枠の製造方法を提供する。【解決手段】  Ａ形トレー１とＢ形トレー２を結合スライドさせることにより、また床面スノコを設置することにより解決手段とする。【選択図】図２
2008022708.tif 000002
【特許請求の範囲】
【請求項１】
植物を植える土壌を保持する可変性を備えていることを特徴とする植物栽培用緑化枠。
【請求項２】
耐根シートを必要としない、屋外または屋上やベランダや屋内で使用するを特徴とする、請求項１記載の植物栽培用緑化枠。
【請求項３】
Ａ形トレー（１）にＢ形トレー（２）を差し込んだ枠を可変性を備えた外枠として植物を植える土壌を保持するを特徴とする植物栽培用緑化枠。
【請求項４】
コの字形の床面スノコ（５）複数枚を表（７）裏（８）交互に組み合わせることにより可変性を持たせるを特徴とする植物栽培用緑化枠。
【請求項５】
請求項４記載の床面スノコに細孔（６）を開けることにより植物の根の貫通を防止すると同時に排水機能を持たせるを特徴とする植物栽培用緑化枠。
【請求項６】
Ａ形トレー（１）にＢ形トレー（２）を差し込みスライドさせることで設置場所の広さに合わせ外枠を作り、次にＡ形トレーおよびＢ形トレーの長辺（３）と平行に、請求項４記載の床面スノコ複数枚を表（７）裏（８）交互に組み合わせ並べ、床面スノコの左（９）右（１０）方向にスライドさせて、左右の面が外枠の長辺と接するように設置することで作られる植物栽培用緑化枠。
【発明の詳細な説明】
【技術分野】
【０００１】
本発明は屋外または屋上やベランダや屋内で使用する植物栽培用緑化枠に関する。
【背景技術】
【０００２】
都市部では、建築物や構築物および舗装道路の増大に伴い、緑地が減少していることによって、気温が郊外に比べ高くなる、所謂「ヒートアイランド現象」が問題となり、その緩和と空調の省エネルギー化を図るため、従来より、ビルや家屋の屋上やベランダを緑化することが行われている。
【０００３】
例えば特許文献１には、ベランダの緑化工事を簡便に行うための縁石に関するが提案されている。
【０００４】
例えば特許文献２には、屋上またはベランダの緑化工事に関し、防水性箱状容器に透水シートを底面に設置することにより施工が簡単で安価に屋上やベランダの緑化を実現出来る植栽構造が提案されている。
【０００５】
【特許文献１】特開２００６−６２６６号公報
【０００６】
【特許文献２】特開平１１−９８９２１号公報
【発明の開示】
【発明が解決しようとする課題】
【０００７】
前記した特許文献１及び特許文献２に記載の技術においては、緑化場所を限定し、尚且つ透水または排水のため、構造的またはシートなどの設備を付加することが求められている。
【０００８】
さらには、個々のベランダや屋上の形状面積に対応できるものではなく、可変性も有しない。
【０００９】
しかしながら、屋上やベランダの緑化に対するニーズが高まるにつれ、簡便に設置できる植物栽培のための土壌を保持する枠が求められているが、
１．現在は、鉢やプランターしか存在せず、本格的に緑化栽培を行うためには、コ  ンクリート等を使用した大型の緑化枠を作るか、特殊な屋上緑化技術を利用し  なければならない、
２．また、既設の建築物上に緑化する場合には、屋上やベランダを保護するための  耐根シートや排水装置を設置しなければならない、
３．重量のある緑化枠を屋上やベランダ等に搬入するために、多大な手間とコスト  要するという問題点があった。
【００１０】
本発明は、屋外または建築物の屋上やベランダや屋内の緑化に適した、軽量で設置場所の形状を問わない可変性のある、かつ耐根シートを必要としない植物栽培用緑化枠を提供することを目的としている。
【課題を解決するための手段】
【００１１】
上記目的を達成するために講じた本発明の手段は次のとおりである。
第１の発明にあっては、
分割されたユニット枠の組み合わせからなる、可変性をもたせたことを特徴とする、
植物栽培用緑化枠である。
【００１２】
第２の発明にあっては、
植物を栽培するに当たり、耐根シートを使用することなく直接栽培土を枠に入れ、栽培することの出来ることを特徴とする、
請求項１記載の植物栽培用緑化枠である。
【００１３】
第３の発明にあっては、
植物を植える土壌を保持する外枠を２分割して作り、互いに差し込みスライドさせて可変性を備えた外枠であることを特徴とする、
植物栽培用緑化枠である。
【００１４】
第４の発明にあっては、
コの字形の床面スノコ（５）複数枚を表（７）裏（８）交互に組み合わせることにより可変性を持たせるを特徴とする、
植物栽培用緑化枠である。
【００１５】
第５の発明にあっては、
床面スノコに細孔（６）を開けることにより植物の根の貫通を防止すると同時に排水機能を持たせるを特徴とする、
植物栽培用緑化枠である。
【００１６】
第６の発明にあっては、
スライド可変構造の外枠と床面スノコを組み合わせることで、設置場所の広さに合わせることを特徴とする、
植物栽培用緑化枠である。
【００１７】
本明細書にいう「耐根シート」とは、植物の根が、屋上やベランダを構築する際に使用された石材やコンクリートまたは木材の表面を、その分泌物で侵食することを防止するために、植物栽培用土壌と屋上やベランダとの間に用いる塗布物質またはシート状物質を意味している。
【００１８】
本発明に係る植物栽培用緑化枠は、構造上、屋上やベランダの防水層に直接植物の根が接触することはない。これにより屋上緑化やベランダ緑化で問題視されている防水層の破損防止のための耐根シートを必要としない。
【００１９】
具体的には、外枠は図２に示すようにＡ形トレーとＢ形トレーとからなり、各々のトレーを結合し、スライドさせることによって解決する。このときトレーの結合部分は一方を狭くして、他方のトレーにスライド出来るようにする。
【００２０】
外枠内底部には、図３に示すような床面スノコを設置する。床面スノコには、全面にあるいは数カ所に水抜きの細孔をあけ、排水を行う。水抜きの細孔については、枠側面に設置しても良い。床面スノコの材料は植物の根が浸食しない素材を使用する。
【００２１】
上記の細孔は、直径１〜５ｍｍが好ましく、更に４〜５ｍｍがより好ましい。直径が１ｍｍ未満では、細孔の数を増やしても排水性が悪くなり、植物の根腐れを引き起こす。また、直径が５ｍｍを越えると、植物土壌の流出を引き起こす。
【００２２】
本発明の植物栽培用緑化枠は、ユニット方式であるため、屋外、建築物の屋上やベランダあるいは室内にも設置しやすく、設置場所での組立や運搬、その他の取扱いも容易である。
【００２３】
なお、本発明に係る植物栽培用緑化枠は、例えば橋桁、道路脇の法面、ゴルフ場人工地面、家庭菜園等での栽培にも好適に使用することができる。栽培対象である植物としては、庭樹、蔬菜、果樹、花卉、穀物、キノコ類等、特に限定されない。
【発明の効果】
【００２４】
本発明は上記構成を備え、以下に記載されるような効果を奏する。
【００２５】
本発明に係る植物栽培用緑化枠は、ユニット組立式なので、短時間で組み立てられ、かつ軽量で屋外や建築物の屋上、ベランダ等の緑化あるいは室内栽培等に適している。
【００２６】
本発明に係る植物栽培用緑化用枠は、スライドする可変式なので、設置する場所の形状や広さを考慮する必要性がない。ベランダ等の狭い場所では、枠をスライドして狭め、広い場所ではスライドして広げることにより、また複数の植物栽培用緑化枠を組み合わせることにより更に広い場所にも設置することができる。
【００２７】
植物栽培用緑化枠に使用する素材は、ある程度の強度を有していれば特に限定しない。
【００２８】
図１に示した緑化栽培用緑化枠は一例であり、その大きさや素材は限定しない。
【発明を実施するための最良の形態】
【００２９】
本発明の実施の形態を実施例にもとづき図面を参照して説明する。
図２に示すように、Ａ形トレーとＢ形トレーを作成する。素材としてはメッキ鋼板に限定されずアルミ板、ステンレス板、合成樹脂板が挙げられる。
【００３０】
図３に示すように、床面スノコを作成する。素材としてはメッキ鋼板に限定されずアルミ板、ステンレス板、合成樹脂板が挙げられる。
【００３１】
なお、本明細書で使用している用語と表現はあくまで説明上のものであって、限定的なものではなく、上記用語、表現と等価の用語、表現を除外するものではない。
【図面の簡単な説明】
【００３２】
【図１】トレーと床面スノコを組立てた図面である。
【図２】サイズを可変とするＡ形トレーおよびＢ形トレーの図面である。
【図３】外枠の底部に敷く床面スノコの図面である。
【図４】トレーと床面スノコを組立て、最小サイズまで縮めた図面である。
【符号の説明】
【００３３】
１  ２分割して作った外枠の広い方（Ａ形トレー）
２  ２分割して作った外枠の狭い方（Ｂ形トレー）
３  トレーの長辺
４  トレーの短辺
５  床面スノコ
６  床面スノコに開けた細孔
７  コの字形床面スノコの凹側
８  コの字形床面スノコの凸側
９  床面スノコがＡ形トレーの長辺と接する側
１０  床面スノコがＢ形トレーの長辺と接する側
【図１】
2008022708.tif 000003
【図２】
2008022708.tif 000004
【図３】
2008022708.tif 000005
【図４】
2008022708.tif 000006